(57)【要約】【課題】軽量化され、しかも荘厳さも有する玉垣用支柱およびそれを用いた玉垣用垣根ユニットを提供する。【解決手段】支柱本体２と、支柱本体１の側面に設けられたジョイント部材３とを備えてなる玉垣用支柱１であって、支柱本体２は、竹を模したパイプとされ、ジョイント部材３は、ジョイント素子１０を縦二連に接合してなるものとされ、ジョイント素子１０は、太くされた基部１２と細くされたジョイント部１４とを含む段付中空体とされてなるものである。【選択図】図１
0003188483.tif 000002
【実用新案登録請求の範囲】
【請求項１】
支柱本体と、前記支柱本体の側面に設けられたジョイント部材とを備えてなる玉垣用支柱であって、
前記支柱本体は、竹を模したパイプとされ、
前記ジョイント部材は、ジョイント素子を縦二連に接合してなるものとされ、
前記ジョイント素子は、太くされた基部と細くされたジョイント部とを含む段付中空体とされ、
前記ジョイント部に擬竹を縦二連に接合してなる擬竹格子の端部が接合されるものとされてなる
ことを特徴とする玉垣用支柱。
【請求項２】
ジョイント素子は、ビス挿通用のビスガイド孔を中心に有するビスガイドパイプを中心に具え、前記ビスガイドパイプは、基部内部から支持されてなることを特徴とする請求項１記載の玉垣用支柱。
【請求項３】
複数のジョイント部材が、支柱本体の中心に対して所定角度をなして支柱本体に設けられてなることを特徴とする請求項１記載の玉垣用支柱。
【請求項４】
基部の直径が、擬竹の直径と同一とされてなることを特徴とする請求項１記載の玉垣用支柱。
【請求項５】
基部の模様が、擬竹の模様と同じとされてなることを特徴とする請求項１記載の玉垣用支柱。
【請求項６】
請求項１ないし請求項５のいずれか一項に記載の玉垣用支柱のジョイント部材に擬竹格子の端部を接合してなることを特徴とする玉垣用垣根ユニット。  
【考案の詳細な説明】
【技術分野】
【０００１】
本考案は玉垣用支柱およびそれを用いた玉垣用垣根ユニットに関する。さらに詳しくは、軽量化されて施工が容易な玉垣用支柱およびそれを用いた玉垣用垣根ユニットに関する。
【背景技術】
【０００２】
従来より、神社においては神聖な神社と俗世界とを仕切るために玉垣が設けられている。
【０００３】
しかしながら、従来一般的に設けられている玉垣は、素材に石材を用いているところから、重量がかさむために施工が迅速に行えないという問題がある。
【０００４】
なお、特許文献１には、アルミ柵を用いた生垣構造が提案されているが、支柱の幅と横木の幅が同一とされているところから、荘厳さに欠けるという問題がある。
【先行技術文献】
【特許文献】
【０００５】
【特許文献１】実用新案登録第３０４４０９４号公報
【考案の開示】
【考案が解決しようとする課題】
【０００６】
本考案はかかる従来技術の課題に鑑みなされたものであって、軽量化され、しかも荘厳さも有する玉垣用支柱およびそれを用いた玉垣用垣根ユニットを提供することを目的としている。
【課題を解決するための手段】
【０００７】
本考案は、支柱本体と、前記支柱本体の側面に設けられたジョイント部材とを備えてなる玉垣用支柱であって、前記支柱本体は、竹を模したパイプとされ、前記ジョイント部材は、ジョイント素子を縦二連に接合してなるものとされ、前記ジョイント素子は、太くされた基部と細くされたジョイント部とを含む段付中空体とされ、前記ジョイント部に擬竹を縦二連に接合してなる擬竹格子の端部が接合されるものとされてなることを特徴とする。
【０００８】
本考案においては、ジョイント素子は、ビス挿通用のビスガイド孔を中心に有するビスガイドパイプを中心に具え、前記ビスガイドパイプは、基部内部から支持されてなるのが好ましい。
【０００９】
また、本考案においては、複数のジョイント部材が、支柱本体の中心に対して所定角度、例えば９０度や１８０度をなして支柱本体に設けられてなるのが好ましい。
【００１０】
また、本考案においては、基部の直径が、擬竹の直径と同一とされてなるのが好ましい。
【００１１】
また、本考案においては、基部の模様が、擬竹の模様と同じとされてなるのが好ましい。
【考案の効果】
【００１２】
本考案は前記の如く構成されているので、玉垣の軽量化と荘厳さとを同時に実現できるとともに施工の迅速化が図られるという優れた効果を奏する。
【図面の簡単な説明】
【００１３】
【図１】本考案の一実施形態に係る玉垣用支柱の正面図である。
【図２】同平面図である。
【図３】同玉垣用支柱に設けられているジョイント部材の三面図である。
【図４】玉垣用垣根ユニットの概略正面図である。
【図５】片側の玉垣用支柱を分離して示す玉垣用垣根ユニットの概略正面図である。
【図６】玉垣用垣根ユニットの変形例の概略図である。
【考案を実施するための形態】
【００１４】
以下、添付図面を参照しながら本考案゜を実施形態に基づいて説明するが、本考案はかかる実施形態のみに限定されるものではない。
【００１５】
図１および図２に、本考案の一実施形態に係る玉垣用支柱１を示す。
【００１６】
玉垣用支柱１は、図１および図２に示すように、支柱本体２と、支柱本体２の側面に設けられたジョイント部材３とを含むものとされる。
【００１７】
支柱本体２は竹を模したパイプ、いわゆる擬竹とされる。パイプの素材は、軽量化および錆びにくいという観点からアルミ合金とされる。支柱本体２のサイズは、本実施形態では、丈が４００ｍｍ程度とされ、直径が６０ｍｍ程度とされている。ただし、支柱本体２のサイズは前記に限定されるものではなく、適宜とされる。
【００１８】
ジョイント部材３は、ジョイント素子１０を上下二段、つまり縦二連に配設して一体化してなるものとされ、その所要数が支柱本体２の側面に所定間隔を設けて配列される。図示例では、二個のジョイント部材３が１５０ｍｍ程度の間隔を設けて上下にビス留めにて配列されている。ただし、支柱本体２に設けられるジョイント部材３の個数および間隔は、前記に限定されるものではなく適宜とされる。
【００１９】
ジョイント素子１０は、支柱本体２と同様にアルミ合金からなるものとされ、図３に示すように、基部１２とジョイント部１４とを含む中空体とされ、全長が４０ｍｍ程度とされる。基部１２は、長さが２０ｍｍ程度とされ、直径が後述する擬竹格子の直径と同一とされる。ジョイント部１４は、長さが２０ｍｍ程度とされ直径が前記擬竹格子の内径より若干小さくされている。つまり、ジョイント素子１０は、基部１２が太くされた段付部材とされる。また、基部１２の支柱本体２との当接面(基端)は、支柱本体２外表面に沿うよう円弧状とされるとともに、外表面はジョイントされる擬竹格子と同じ模様とされている。
【００２０】
ジョイント素子１０は、内部中心にジョイント素子１０、つまりジョイント部材３を支柱本体２にビス留めするためのビスガイド孔１６ａを中心に有するビスガイドパイプ１６が、基端から所定長さにて配設されている。また、ジョイント素子１０内部の先端からビスガイドパイプ１６の先端までは、ビス操作用空間１８とされている。
【００２１】
ビスガイドパイプ１６は、図３に示すように、１２０度間隔で配設された支持片１６ｂにより基部１２内面から支持されている。つまり、ビスガイドパイプ１６は、基部１２内部空間に浮かんだ状態とされている。かかる構成とされていることにより、ジョイント素子１０の軽量化が図られている。
しかして、かかる構成とされたジョイント素子１０を上下に配して、例えば接着剤により一体化することによりジョイント部材３が形成される。
【００２２】
図４に、かかる構成とされた玉垣用支柱１を用いた玉垣用垣根ユニットＵを示す。
玉垣用垣根ユニットＵは、図４に示すように、両端に玉垣用支柱１が配設され、その間に端部がジョイント部材３と接合された擬竹７が縦二連とされた擬竹格子６が配設されてなるものとされる。
【００２３】
玉垣用垣根ユニットＵの作製は、例えば次のようにしてなされる。
【００２４】
擬竹格子６の一端部を一側側の玉垣用支柱２に設けられたジョイント部材３を構成しているジョイント素子１０のジョイント部１４と嵌合して接合する(図５参照)。この場合、ジョイント部１４に接着剤が塗布されてなるのが好ましい。ついで、擬竹格子６の他端部に他側側の玉垣用支柱１に設けられたジョイント部材３のジョイント部１４を嵌合して接合する。この場合も、ジョイント部１４に接着剤が塗布されてなるのが好ましい。これにより、玉垣用垣根ユニットＵが完成する。
【００２５】
以上、本考案を実施形態に基づいて説明してきたが、本考案はかかる実施形態のみに限定されるものではなく、種々改変が可能である。
【００２６】
例えば、実施形態では玉垣用垣根ユニットＵは、両端に玉垣用支柱１が配設されてなる構成とされているが、図６に示すように、中間にも玉垣用支柱１が配設された構成とされてもよい。また、図６に示すように、隣接する擬竹格子６の支柱本体２の中心となす角が９０度などの所定角度になるように配設されてもよい。
【産業上の利用可能性】
【００２７】
本考案は庭園産業に適用できる。
【符号の説明】
【００２８】
１      玉垣用支柱
２      支柱本体
３      ジョイント部材
６      擬竹格子
７      擬竹
１０      ジョイント素子
１２      基部
１４      ジョイント部
１６      ビスガイドパイプ
１６ａ    ビスガイド孔
１６ｂ    支持片
１８      ビス操作用空間
Ｕ      玉垣用垣根ユニット
【図１】
0003188483.tif 000003
【図２】
0003188483.tif 000004
【図３】
0003188483.tif 000005
【図４】
0003188483.tif 000006
【図５】
0003188483.tif 000007
【図６】
0003188483.tif 000008